(57)【要約】【課題】フランジ交換を不要とし、前方の転落防止板の設置角度が変わることがなく、水平陳列面と後方下り傾斜の２通りの陳列面を採ることができるボトル専用棚を提供すること。【解決手段】側面視で内角が直角状の屈曲部２２ａ、２２ｂと屈曲部２２ａ、２２ｂの前後にそれぞれ形成される第１水平部４（前方部材）及び第２水平部（後方部材）６を有する支持枠体１と、支持枠体１に着脱自在に設置される、水平板部２１と水平板部２１の後端から起立する鉛直板部２２と、鉛直板部２２の上端から斜め後方へ延びる傾斜板部２３とからなるボトル設置本体部２とからなるボトル専用棚１０。【選択図】図１
0003138099.tif 000002
【実用新案登録請求の範囲】
【請求項１】
側面視で内角が直角状の屈曲部と該屈曲部の前後にそれぞれ形成される第１水平部及び第２水平部を有する支持枠体と、
該支持枠体に着脱自在に設置される、水平板部と該水平板部の後端から起立する鉛直板部と、該鉛直板部の上端から斜め後方へ延びる傾斜板部とからなるボトル設置本体部とからなることを特徴とするボトル専用棚。
【請求項２】
該支持枠体が、固定部に固定される基部と該基部から前方へ延びる側面視で内角が直角状の屈曲部と該屈曲部に連続する第１水平部を有する両腕部と、該両腕部の基部間に差し渡しで設置され第２水平部を形成する角状の後方部材と、該両腕部の第１水平部より段差を介して高い位置にあり、該両腕部間に差し渡しで設置される前方部材と、該前方部材の前方に位置し、上方先端が該前方部材の前端より平面視で内側に位置する前方傾斜部とからなることを特徴とする請求項１記載のボトル専用棚。
【請求項３】
該ボトル設置本体部の水平板部が、該第１水平部と第２水平部の上に差し渡し状に設置され、該水平部材の表面が水平姿勢となる請求項２記載のボトル専用棚。
【請求項４】
該水平板部の裏面前方部に該段差の角に係止する第１係止片を設置し、該鉛直板部の背面の上方部に上下方向に延びる該後方部材の前方の角に係止する第２係止片を設置し、該第１係止片を該水平板部の該段差に係止させ、第２係止片を該後方部材の角に係止させ、該水平部材の表面が前方上り傾斜姿勢とする請求項２記載のボトル専用棚。
【請求項５】
該第１係止片は該水平板部の裏面に左右方向に所定の間隔で２個以上設置され、該第２係止片は該鉛直板部の背面に左右方向に所定の間隔で２個以上設置されることを特徴とする請求項４記載のボトル専用棚。
【請求項６】
該水平板部の裏面には、下方に突出し左右方向に延出する板状の第３係止片を、少なくとも後方部と前方部にそれぞれ１個設置したことを特徴とする請求項５記載のボトル専用棚。
【請求項７】
該ボトル設置本体部の２個〜４個を該支持枠体に設置することを特徴とする請求項１〜６記載のボトル専用棚。
【請求項８】
該屈曲部を構成する前方部材が、水平に対して２５度±３の角度で形成されることを特徴とする請求項１〜７記載のボトル専用棚。
【請求項９】
該ボトル設置本体部の傾斜板部が、水平板部に対して２０度±３の角度で形成されることを特徴とする請求項１〜８記載のボトル専用棚。
【請求項１０】
該ボトル設置本体部の傾斜板部には、クッションゴムが付設されることを特徴とする請求項１〜９記載のボトル専用棚。
【請求項１１】
該基部には、前後２ヶ所に螺子孔が形成されることを特徴とする請求項１〜１０記載のボトル専用棚。
【請求項１２】
該ボトルが、ワインボトルであることを特徴とする請求項１〜１１記載のボトル専用棚。
【考案の詳細な説明】
【技術分野】
【０００１】
本考案は、ボトル、特にワインボトルの陳列に好適なボトル専用棚に関するものである。
【背景技術】
【０００２】
スーパーや酒屋などにおいて、ワインボトルを販売するために、ゴンドラ状の陳列棚に多量のワインボトルを陳列することがある。比較的多量のワインボトルを陳列するワイン専用棚としては、水平陳列面を上下多段に有するワイン専用棚あるいは水平陳列面と前方下り傾斜の陳列面の２通りの陳列形態を採ることができるワイン専用棚が挙げられる。この中、水平陳列面と前方下り傾斜の陳列面の２通りの陳列形態を採ることができるワイン専用棚が陳列の演出を高めることができる点で注目を集めている。
【０００３】
２通りの陳列形態を採ることができるワイン専用棚としては、ゴンドラ状の陳列棚に左右のフランジを介して設置し、陳列形態を変更する場合に別のフランジに変更するワイン専用棚、あるいは陳列棚を後方端部を基軸として陳列棚の先端部分に一端が取り付けられたワイヤー操作により陳列棚を回動自在にしたワイン専用棚が挙げられる。
【考案の開示】
【考案が解決しようとする課題】
【０００４】
しかしながら、フランジを変更するワイン専用棚は、フランジ変更作業が面倒であり、また、フランジの管理も必要となるなどの問題がある。陳列棚を回動自在にしたワイン専用棚は、フランジ交換などの面倒な作業はない点で好適である。しかし、このワイン専用棚の水平陳列面を後方下り傾斜状にすると、陳列端の前方端に起立姿勢あるいは後方傾斜で固設される転落防止板の設置角度が変わり問題となる。すなわち、陳列端の前方端に起立姿勢あるいは後方傾斜で固設される転落防止板は、通常価格表示機能を兼ねるものであり、この表示が見難くなる。また、価格表示機能がないものであっても、陳列面の前方の一部を塞ぐことになり、有効陳列面が減少する、顧客側から見て違和感があるなど種々の不都合を生じる。また、従来の水平陳列面と前方下り傾斜の陳列面の２通りの陳列形態を採るワイン専用棚では、ワインの陳列形態としては、せいぜい３パターンであり、更に他の陳列形態の採れるワイン専用棚の登場が望まれていた。
【０００５】
すなわち、本考案の目的は、フランジ交換を不要とし、前方の転落防止板の設置角度が変わることがなく、水平陳列面と後方下り傾斜の２通りの陳列面を採ることができるボトル専用棚を提供することにある。
【０００６】
すなわち、本考案は、側面視で内角が直角状の屈曲部と該屈曲部の前後にそれぞれ形成される第１水平部及び第２水平部を有する支持枠体と、該支持枠体に着脱自在に設置される、水平板部と該水平板部の後端から起立する鉛直板部と、該鉛直板部の上端から斜め後方へ延びる傾斜板部とからなるボトル設置本体部とからなるボトル専用棚を提供するものである。
【考案の効果】
【０００７】
本考案によれば、フランジの交換が不要であり、前方の転落防止板の設置角度を変えることなく、水平陳列面と後方下り傾斜の２通りの陳列面を採ることができる。このため、ワインの設置は４パターンを採ることができ、リピーター客を飽きさせることがない陳列面を演出できる。また、例えば、フランジ等の固定部へ支持枠体を固定する際、基部に形成された前後方向に離間した２つの螺子孔を選択できるため、陳列面が前方へ突出した形態を採ることができ、更に異なる陳列面を演出できる。
【考案を実施するための最良の形態】
【０００８】
次ぎに、本考案の実施の形態におけるワイン専用棚を図１〜図９を参照して説明する。図１は本例のワイン専用棚の分解斜視図、図２は図１のワイン専用棚で使用するボトル設置本体部の裏面斜視図、図３は図１のワイン専用棚の一部を省略した第１の陳列形態における平面図、図４は図３のワイン専用棚のＡ−Ａ線に沿って見た図、図５は図３のワイン専用棚の左側面図、図６は図４のワイン専用棚にワインを立てて陳列した図、図７は図４のワイン専用棚にワインをボトムが手前になるように寝かせて陳列した図、図８は第２の陳列形態においてワインを傾斜姿勢に陳列した図、図９は第２の陳列形態においてワインをボトムが後方側となるように寝かせて陳列した図をそれぞれ示す。なお、本明細書中、「前」、「後」、「左」及び「右」は顧客側から見た方向及び位置を言う。また、「水平部」あるいは「鉛直部」などは部材名であって、設置形態が変化して「水平」あるいは「鉛直」を採らなくなっても、「水平部」あるいは「鉛直部」である。
【０００９】
ワイン専用棚１０は、支持枠体１と３個のボトル設置本体部２を組み付けたものである。３個のボトル設置本体部２は全て同じ構成要素及び同じ形状であって、支持枠体１に設置された際、隙間なく陳列面を形成できる寸法である。本考案のワイン専用棚１０において、ボトル設置本体部２は上記３個に限定されず、１個、２個又は４個以上であってもよい。この中、本例のように３個使用とすることが、設置の容易さ、在庫管理の容易さ、取り扱いの容易さなどの観点で好ましい。
【００１０】
支持枠体１は、例えばゴンドラ状陳列枠体に固定されるもので、当該陳列枠体の長手方向（左右方向）に延びる角状の後方部材（第２水平部）６と、後方部材６の両側に形成される板状の両腕部２ａ、２ｂと、両腕部２ａ、２ｂの先端で差し渡し状で長手方向（左右方向）に設置される前方側の部材からなるものである。
【００１１】
すなわち、支持枠体１は、例えばフランジ３等の固定部に螺子固定される基部２１ａ、２１ｂと基部２１ａ、２１ｂから前方へ延びる側面視で内角が直角状の屈曲部２２ａ、２２ｂと屈曲部２２ａ、２２ｂに連続する第１水平部２３ａ、２３ｂを有する両腕部２ａ、２ｂと、両腕部２ａ、２ｂの基部２１ａ、２１ｂ間に差し渡しで設置され第２水平部を形成する角状の後方部材６と、両腕部２ａ、２ｂの第１水平部２３ａ、２３ｂより段差２３１を介して高い位置にあり、両腕部２ａ、２ｂ間に差し渡しで設置される前方部材４と、前方部材４の前方に位置し、上方先端が前方部材４の前端より平面視で内側に位置する前方傾斜部５とからなる。屈曲部２２ａ、２２ｂは、屈曲部２２ａ、２２ｂの前方部材２２１が、水平に対して２５度±３の角度で形成されるのが、第２の陳列形態におけるワインの陳列姿勢がよい点で好ましい。
【００１２】
支持枠体１において、基部２１ａ、２１ｂ、屈曲部２２ａ、２２ｂ及び第１水平部２３ａ、２３ｂは板状の縦部材であり、前方部材４と前方傾斜部５は板状の縦部材間に形成される前方側の部材である。屈曲部２２ａ、２２ｂ及び第１水平部２３ａ、２３ｂで構成される板状の縦部材には、第２の陳列形態において、ボトル設置本体部２の水平板部２１の一部である裏側の左右の縁部が載置される。
【００１３】
基部２１ａ、２１ｂは、本例ではフランジ３に螺子止めされるフランジ３に沿った形状であり、前後２ヶ所に螺子孔７、７が形成されている。基部２１ａ、２１ｂはフランジ３に対して螺子孔７、７のいずれか一方に通した螺子を使用して螺子止めされる。螺子孔７、７の後方孔を使用すれば、前方孔を使用した場合に比べて、陳列面を顧客側に位置させることができる。符号８はナットである。角状の後方部材６は、角状の上面が水平面６１となるように設置される。水平面６１は、ボトル設置本体部２の設置面となるもので、水平板部２１の一部である裏面後方部が載置される。
【００１４】
前方部材４は、前方部材４の上面が水平面４１となるように構成されている。水平面４１は、ボトル設置本体部２の水平部材２１が水平面となるように設置された場合（第１の陳列形態）、ボトルＸの設置面となるものである。従って、前方部材４の奥行き寸法は任意である。また、前方部材４の下方側で数ｍｍ後方には、前方部材４に連続し長手方向に延びる板状の係止片４１が形成されている。板状の係止片４１は第１の陳列形態において、水平板部２１の先端裏側の先端係止溝２９に係止して安定した設置を付与するものである。
【００１５】
第１水平部２３ａ、２３ｂと前方部材４で形成される段差２３１は、ボトル設置本体部２の水平板部２１の厚みと同じである。これにより、第１の陳列形態を採った際、ボトル設置本体部２の水平板部２１の表面と前方部材４の表面が面一となり、水平板部２１の表面と前方部材４の表面で陳列面を形成することができる。
【００１６】
前方傾斜部５の高さ及び傾斜角度は、第１の陳列形態のボトルを寝かせた状態における前方のストッパーとしての機能を奏し、また、第２の陳列形態においてボトルの陳列の障害とならないようなものとする。すなわち、第１の陳列形態のボトルを寝かせた状態において、前方傾斜部５の先端がワインボトルの底面に当たる状態において、ワインボトルの先端部がボトル設置本体部２の傾斜板部２３に当たるものがよい。また、第２の陳列形態において、ボトル設置本体部２の水平板部２１の上面を超えない高さであるのがよい。前方傾斜部５は、第１の陳列形態及び第２の陳列形態のいずれを採っても不動であり、その傾斜角度は変わらない。このため、陳列面の有効面積が減少することもなく、また顧客側から見て違和感はない。前方傾斜部５には、商品情報を表示した表示カードなどを表面に付設してもよく、また、各種ＰＯＳ（point of sale）レールを設置することができる。
【００１７】
ボトル設置本体部２は、支持枠体１とは別体であって、支持枠体１に着脱自在に設置されるものである。ボトル設置本体部２は、水平板部２１と水平板部２１の後端から起立する鉛直板部２２と、鉛直板部２２の上端から斜め後方へ延びる傾斜板部２３とからなる。
【００１８】
水平板部２１はボトルＸの主たる載置面を構成する。水平板部２１には前後方向に延びる、左右方向に所定のピッチで多数のスリット（縦孔）２１１が形成されている。また、スリット（縦孔）２１１に対応する裏面には補強リブ２７が形成されるとともに、補強リブ２７の中央にはスリット（縦孔）２１１に連通する孔２８が形成されている。これにより、ボトル設置本体部２の水平板部２１の表面に溜まるゴミ類がスリット（縦孔）２１１及び孔２８を通って下方に脱落するため、掃除がし易く、ゴミ類が溜まり難い。
【００１９】
水平板部２１の裏面先端には、先端係止溝２９が長手方向に延出するように形成され、水平板部２１の裏面前方には、左右方向に所定の間隔で２個以上、本例では４個設置される側面視で内角が直角状の第１係止片２５が形成され、水平板部２１の裏面には、下方に突出し左右方向に延出する板状の第３係止片２６ａ、２６ｂ、２６ｃが、後方部、前方部及び中央部にそれぞれ形成されている。板状の第３係止片２６ａ、２６ｂ、２６ｃは、水平板部２１の長手方向の寸法よりやや短い。これにより、第２の陳列形態において、水平板部２１の一方の側縁部が両腕部２ａに載置された際、板状の第３係止片２６ａ、２６ｂ、２６ｃの側端が両腕部２ａの内側にくるため、ボトル設置本体部２が両腕部２ａを超えて転落することがない。
【００２０】
鉛直板部２２は主にボトルＸの背もたれの機能を奏する。鉛直板部２２と傾斜板部２３は連続体であり、側面視では厚みと把握される所定の高さ寸法の側板が形成される枠体状である。鉛直板部２２の本体部の背面（裏面）には、左右方向に所定の間隔で２個以上、本例では４個の第２係止片２４が形成されている。第２係止片２４は鉛直板部２２の本体部の背面（裏面）から後方へ突出する板状体であって、その下方端は内角が１１０〜１２０度となる角部２４１を形成している。これにより、第２の陳列形態において角部２４１が、後方部材６の角に係止するため、ボトル設置本体部２の支持枠体１への設置が安定する。
【００２１】
傾斜板部２３は第１の陳列形態において、ボトルＸを寝かせた状態において、ボトルＸの先端部の枕となる部分である。従って、本例では傾斜板部２３の表面にはクッションゴム２３１が形成されている。なお、クッションゴム２３１は本考案のワイン専用棚においては任意の構成要素である。傾斜板部２３の傾斜角度は水平板部に対して２０度±３の角度で形成されるのが、第１の陳列形態における寝かせ陳列のワインＸの陳列姿勢がよいため好ましい。
【００２２】
次ぎに、ワイン専用棚１０を使用した第１の陳列形態及び第２の陳列形態を説明する。第１の陳列形態は図６及び図７に示すように、ボトル設置本体部２の水平板部２１が、第１水平部２３ａと後方部材（第２水平部）６の上に差し渡し状に設置され、更に水平板部２１の裏側先端の先端係止溝２９と前方部材４の板状の係止片４１との係止、及び板状の第３係止片２６ｃの後方部材６への当接により前後方向の移動を規制すると共に、水平部材２１の表面が水平姿勢となるようにしたものである。また、両側のボトル設置本体部２は、板状の第３係止片２６ａ、２６ｃの側端が両腕部２ａ、２ｂの内側にくるため、ボトル設置本体部２が両腕部２ａ、２ｂを超えて転落することはない。また、中央のボトル設置本体部２は左右のボトル設置本体部２があるため左右方向の移動が規制される。これによりワイン専用棚１０は第１の陳列形態において設置安定性がよい。
【００２３】
第１の陳列形態においては、ワインＸを立てたまま陳列する水平陳列（図６参照）、ボトム９１が手前に位置する寝かせ陳列（図７参照）の２通りの陳列が可能となる。
【００２４】
第２の陳列形態は図８及び図９に示すように、ボトル設置本体部２の水平板部２１が後方下がり傾斜となるように設置したものである。すなわち、ボトル設置本体部２の第１係止片２５を第１水平部２３ａと前方部材４で形成される段差２３１に係止させ、第２係止片２４の係止角２４１を後方部材６の前方側の角６６に係止させ、水平部材２１の表面が後方下り傾斜姿勢となるようにしたものである。また、両側のボトル設置本体部２は、板状の第３係止片２６ａ、２６ｂ、２６ｃの側端が両腕部２ａ、２ｂの内側にくるため、ボトル設置本体部２が両腕部２ａ、２ｂを超えて転落することはない。また、中央のボトル設置本体部２は左右のボトル設置本体部２があるため左右方向の移動が規制される。これによりワイン専用棚１０は第２の陳列形態において設置安定性がよい。
【００２５】
第２の陳列形態においては、ワインＸを立てたまま陳列する傾斜陳列（図８参照）、ボトム９１が後方側に位置する差込陳列（図９参照）の２通りの陳列が可能となる。なお、差込陳列とは下側の２つのワイン間の凹部に上側のワインひとつが載置される陳列形態を言う。
【００２６】
本考案のボトル専用棚において、ボトルとしては、ワインボトル、日本酒ビン、焼酎ビン、ウイスキーボトル、非冷のアルコール飲料ボトルなどが挙げられる。
【００２７】
本考案のボトル専用棚は、上記形態に限定されず、種々の変形例を採ることができる。例えば両腕部は縦状の板部材に限定されず、両腕部の構成を採らず、長手方向に連続する無垢の部材を使用することができる。この場合、ボトル設置本体部２の水平板部２１の裏面に形成される第３係止片や前方部材４の板状の係止片４１などは省略できる。また、ボトル設置本体部２の水平板部２１に形成されるスリット２１１や補強リブ２７に形成される孔２８は設置を省略することができる。
【図面の簡単な説明】
【００２８】
【図１】本考案の実施の形態例のワイン専用棚の分解斜視図である。
【図２】図１のワイン専用棚で使用するボトル設置本体部の裏面斜視図である。
【図３】図１のワイン専用棚の一部を省略した第１の陳列形態における平面図である。
【図４】図３のワイン専用棚のＡ−Ａ線に沿って見た図である。
【図５】図３のワイン専用棚の左側面図である。
【図６】図４のワイン専用棚にワインを立てて陳列した図である。
【図７】図４のワイン専用棚にワインをボトムが手前になるように寝かせて陳列した図である。
【図８】第２の陳列形態においてワインを傾斜姿勢で陳列した図である。
【図９】第２の陳列形態においてワインをボトムが後方側となるように寝かせて陳列した図である。
【符号の説明】
【００２９】
１    支持枠体
２    ボトル設置本体部
２ａ、２ｂ    両腕部
３    フランジ
４      前方部材
５      前方傾斜部
６    後方部材（第２水平部）
１０    ワイン専用棚
２１ａ、２１ｂ    基部
２２ａ、２２ｂ      屈曲部
２３ａ、２３ｂ      第１水平部
２３１          段差
【図１】
0003138099.tif 000003
【図２】
0003138099.tif 000004
【図３】
0003138099.tif 000005
【図４】
0003138099.tif 000006
【図５】
0003138099.tif 000007
【図６】
0003138099.tif 000008
【図７】
0003138099.tif 000009
【図８】
0003138099.tif 000010
【図９】
0003138099.tif 000011